(57)【要約】 【課題】所員の持つ個人認証に使うＩＣカードが第３者に渡ったとしても、この第３者がこのＩＣカードを使って開閉管理している職場ゲートを通過させないようにする。  【解決手段】  上記ＩＣカード31と、一見認証用具と見えない認証用アイテム11とに記録されている複数の個人認証情報と、別に設けた所員_ＩＤ情報テーブルに保存されている所員単位の個人認証情報が一致したときに職場ゲート１２を開とする。【選択図】  図1
2009169723.tif 000002
【特許請求の範囲】
【請求項１】
エントランススペースと職場スペースとを備え、且つエントランススペースと職場スペースとの境界部に職場ゲートを設けたオフィススペースにおいて、職場スペースに入る権限を有する者に与えられるとともに、その者の個人認証情報を記録してあるＩＣカードと、ＩＣタグを取り付けた一見認証用具に見えない物品（認証用アイテムという）とを用意するとともに、複数の認証用アイテムを置くためにエントランススペースに設けたエントランス_アイテム載置台と、また職場ゲートの近傍のエントランススペースに配置した認証検知装置_γとを備え、この認証検知装置_γにて、上記認証用アイテムと、職場ゲートを通過して職場スペースに入るＩＣカードに記録された個人認証情報とを検知し、いずれもこの職場ゲートを通過する本人の個人認証情報である場合のみこの職場ゲートを開とする機能を備えた多重セキュリティゲート通過システム。
【請求項２】
上記認証用アイテムが、職場スペースに席を持つ複数の所員個々に対応したものから構成され、特定所員の認証用アイテムに取り付けたＩＣタグに特定所員個々に対応した個人認証情報を保存していることを特徴とする請求項１項記載の多重セキュリティゲート通過システム。
【請求項３】
前記職場ゲートの近傍で且つ職場スペース内に設けられた認証検知装置_δと、又前記職場ゲートの近傍で且つエントランススペース内に設けられた認証検知装置_γとを備え、上記の職場ゲートを通過した人が、その人の職場の自分の席にこの認証用アイテムを置く職場_アイテム載置台と、置いたという信号を職場ゲートに送る職場_アイテム載置送信手段と、前記認証検知装置_γ、前記認証検知装置_δにこの職場_アイテム載置送信手段からの信号を記録保存する職場_アイテム載置記憶手段とを備え、この職場_アイテム載置情報がこれらの認証検知装置にある場合は、ＩＣカードからの当人の個人認証をおこなうのみで、認証用アイテムによる個人認証の照合を省略してこの職場ゲートを通過するようにしたことを特徴とする請求項１記載または２いずれか記載の多重セキュリティゲート通過システム。
【発明の詳細な説明】
【技術分野】
【０００１】
本発明はゲートを通過管理するための多重セキュリティに関するものであるが、この説明のため所員以外の人がオフィススペース内の職場スペースに出入りするのを防止するための多重セキュリティシステムを取り上げ以下説明する。この多重セキュリティシステムは、特にこの職場スペースに入るために職場スペースと外部との境界に設けたゲート(以下このゲートを職場ゲートと呼ぶ。)を所員が携帯している所員証等のＩＣカードを利用してこの職場ゲートの開閉を制御する多重セキュリティシステムにおいて、紛失・盗難等でＩＣカードを入手した所員以外の第３者がこの職場ゲートの通過を阻止するのに好適に利用されるものである。
【背景技術】
【０００２】
職場スペースへの通行を管理する従来技術としては、例えば通過する個人のＩＣカードにより認証を行い通行を制御するものが知られている。(特許文献1)
また、キーカードにより部屋への入退室管理を行うものが知られている。(特許文献2)
【特許文献１】特開平09-112095号公報
【特許文献２】特開2000-132722号公報
【発明の開示】
【発明が解決しようとする課題】
【０００３】
しかしながら、上記の従来技術は何れもＩＣカードやキーカード等により職場ゲートへの通行の管理を行うものであり、このＩＣカードが所員以外の第３者に渡った場合に、このＩＣカードを使ってこの第３者により職場ゲートを通過するという問題を解決したものは未だ知られていない。
【０００４】
そこで本発明では、ＩＣカードが仮にこのカードの所有者以外の第３者に渡ったとしても、このカードを利用してこの第３者が職場ゲートを通過し職場スペースへ侵入するのを妨げるセキュリティの高いゲート通過システムを提供することを目的としている。
【課題を解決するための手段】
【０００５】
上記目的を達成するために、本発明は、エントランススペースと職場スペースとを備え、且つエントランススペースと職場スペースとの境界部に職場ゲートを設けたオフィススペースにおいて、職場スペースに入る権限を有する者に与えられるとともに、その者の個人認証情報を記録してあるＩＣカードと、ＩＣタグを取り付けた一見認証用具に見えない物品（認証用アイテムという）とを用意するとともに、複数の認証用アイテムを置くためにエントランススペースに設けたエントランス_アイテム載置台と、また職場ゲートの近傍のエントランススペースに配置した認証検知装置_γとを備え、この認証検知装置_γにて、上記認証用アイテムと、職場ゲートを通過して職場スペースに入るＩＣカードに記録された個人認証情報とを検知し、いずれもこの職場ゲートを通過する本人の個人認証情報である場合のみこの職場ゲートを開とする機能を備えたものである。
【０００６】
また本発明は、更には次のような構成とすることも可能である。
【０００７】
上記認証用アイテムが、職場スペースに席を持つ複数の所員個々に対応したものから構成され、特定所員の認証用アイテムに取り付けたＩＣタグに特定所員個々に対応した個人認証情報を保存するよう構成するようにしても良い。
【０００８】
また本発明は、更には次のような構成とすることも可能である。
【０００９】
前記職場ゲートの近傍で且つ職場スペース内に設けられた認証検知装置_δと、又前記職場ゲートの近傍で且つエントランススペース内に設けられた認証検知装置_γとを備え、上記の職場ゲートを通過した人が、その人の職場の自分の席にこの認証用アイテムを置く職場_アイテム載置台と、置いたという信号を職場ゲートに送る職場_アイテム載置送信手段と、前記認証検知装置_γ、前記認証検知装置_δにこの職場_アイテム載置送信手段からの信号を記録保存する職場_アイテム載置記憶手段とを備え、この職場_アイテム載置情報がこれらの認証検知装置にある場合は、ＩＣカードからの当人の個人認証をおこなうのみで、認証用アイテムによる個人認証の照合を省略してこの職場ゲートを通過するようにしても良い。
【発明の効果】
【００１０】
以上の説明から明らかなように、本発明にあっては以下に列挙する効果が期待できる。
【００１１】
(1)  本発明は、所員の携帯しているＩＣカードが落し物とか盗難等により第３者に渡ったとしても、一見認証用には見えない認証用アイテムも職場ゲートの通過に関わっていることが簡単には見破られないため、このＩＣカードを使って第３者の職場ゲート通過を阻止することが可能である。
【００１２】
(2)  また仮に認証用アイテムが職場ゲートの通過に関与していることが上記第３者に判読できたとしても、どの認証用アイテムがどの所員のものか判らない為、入手したＩＣカードに対応した認証用アイテムを選ぶことが困難であり、この第３者による本発明で提案する多重セキュリティを施した職場ゲート通過を阻止することが可能である。
【００１３】
・  また本発明は、上記認証用アイテムに所員に対応する個人情報を保存した
ＩＣタグを設けているため、所員毎に異なる個人情報を備えた複数の認証用アイテムを用意でき、上記ＩＣカードと一見認証用具に見えない認証用アイテムの双方に保存されている個人情報を使った２重セキュリティゲートシステムが構築可能である。
【００１４】
これにより仮に持ち主以外の第３者に上記ＩＣカードが渡ったとしても、このＩＣカードだけでは容易に多重セキュリティシステムを破られることが無く、且つＩＣカード以外の認証用具が何かを第３者が認識できないため、よりセキュリティの高い２重セキュリティゲートシステムを構築できる。
(4)  また本発明は、所員がＩＣカードと認証アイテムの双方に保存されている個人認証情報を使って職場ゲートを通り職場スペースに入るように構成した、本発明で開示する多重セキュリティシステムにおいて、職場スペースにある自席に設けた職場_アイテム載置台に、所員が持ち込んだ認証用アイテムを載置することで、本発明が対象とするオフィススペースに設けた職場ゲートについて、単にＩＣカードに保存されている個人認証情報を確認するだけで出入りが可能となる。
【発明を実施するための最良の形態】
【００１５】
以下、図面に示す本発明を実施するための最良の形態を、図１ないし図5を使って説明する。
【００１６】
ここで図1から図５は何れも本発明を実施するための最良の実施の形態の説明に使われるもので、図１は職場ゲートを備えたオフィススペースの平面図、図2は認証用アイテムの概念構成図、図3は所員_ID情報テーブルの説明図、図4はＩＣカードの説明図を示す。又本発明を実施するための最良の形態の多重セキュリティゲート通過システムにおける手順のフローチャト図を図5に示す。
【００１７】
以下この発明を実施するための最良の形態について、図１ないし図５を参照して詳細に説明する。
【００１８】
図1に示す本発明を実施するための最良の第1の形態において、2重セキュリティシステム１として、オフィススペース２と、このオフィススペース２内で、且つ外５とオフィススペース２との境界部に設けたエントランススペース３と、このエントランススペースと境界を接する職場スペース４とを備え、且つエントランススペース３と外５との境界部に設けた外ゲート13と、エントランススペース３と職場スペース４との境界部に設けた職場ゲート12とを設けた構成としている。
【００１９】
また、本発明を実施するための最良の第1の形態の2重セキュリティシステム１では、このオフィススペース２内の職場スペース４に入るために、所員35は外5から外ゲート13を通過してエントランススペース3に入り、更に職場ゲート12を介して職場スペース４に入るように構成されている。
【００２０】
外５から所員35は通常は自分の所持する社員証にて構成される所員_ＩＣタグ６０内蔵のＩＣカード31には所員コードないし当社員であることを示す社員情報で表示される本人の個人認証情報が保存されており、上記認証検知装置_α 14にてこの本人を示す個人認証情報を読み取った場合に、この外ゲート13を開としてエントランススペース３に所員を入れるようしている。
【００２１】
一方エントランススペース３と職場スペース４との境界に設けた職場ゲート１２では、社員の持つＩＣカード31に保存されている本人の個人認証情報と、一見認証用具に見えない物品11(本報ではこの物品を認証用アイテム11と呼称する。）にアイテム_ＩＣタグ51を設け、この認証用アイテム11に保存されている個人情報認証情報とを併用し、双方共に本人を示す個人認証情報である場合に開とし、それ以外は閉とする様に、この職場ゲート12の通過を管理するようにしている。
【００２２】
この認証用アイテム11は所員個々が選定したものであり、複数の所員のものを集めると各様のものから構成されているが、個々の所員は自分の認証用アイテム11がどれかが判別できるよう構成している。
【００２３】
またこのエントランススペース３には複数の所員に対応する複数の認証用アイテム11を置くためのエントランス_アイテム載置台10を設けており、所員の個々が選定した多様の形態の認証用アイテム11が、このエントランス_アイテム載置台10に置かれている。
【００２４】
その為所員はどれが自分の認証用アイテムかは判読できるが、他方第３者には単に多様の認証用アイテム11がエントランス_アイテム載置台10に並んでいるだけとしか認識できず、どの認証アイテムがどの所員に対応するかは簡単には見破られない様に構成されている。
【００２５】
以下所員の所持するＩＣカード31と、当人用の認証用アイテム11を用いてエントランススペース2から職場スペース4へ、職場ゲート12を介して通過する手順を説明する。
【００２６】
前記職場ゲート12の近傍で且つエントランススペース３に認証検知装置_γ 16を設け、この認証検知装置_γ 16で、この職場ゲートに近づいた人がＩＣカードを持っているかどうかを、ＩＣカードに設けた所員_ＩＣタグを検出することで確認し、持っていない場合は職場ゲートを閉とし、持っている場合は次のステップに移る。(図5のフローチャートのうちのステップ1)
次にＩＣカード31に設けた所員_ＩＣタグ60に記録されている個人認証情報(これをαと呼ぶ。)を上記認証検知装置_γ 16で読み出し、本発明を実施するための最良の第1の形態として示す本例では、上記認証検知装置_γ 16に記録・保存するよう構成している。(図5のフローチャートのうちのステップ２)
その次のステップでは、認証用アイテム11を持っているかどうかを、この認証用アイテム11に設けたアイテム_ＩＣタグ51からの信号の有無で確認し、認証用アイテムからの信号が無い場合は、職場ゲート12を閉とし、ある場合は次のステップに移行する。(図5のフローチャートのうちのステップ３)
次にこの認証用アイテム11からの信号が1個だけかどうかを確認し、複数検出された場合は、他人の認証用アイテムが混入されているとして、職場ゲート12を閉とし、ある場合は次のステップに移行する。(図5のフローチャートのうちのステップ４)
次にこの一つだけの認証用アイテムに設けたアイテム_ＩＣタグに記録されている個人認証情報(この情報をβと呼ぶ。)を読み出す。(図5のフローチャートのうちのステップ５)
次にここで読み出した認証用アイテムに設けたアイテム_ＩＣタグに記録されている個人認証情報：βと、既に求めたＩＣカードから読み出した個人認証情報：αとを照合する。(図5のフローチャートのうちのステップ６)
この照合結果が同一の場合は、職場ゲート12を開とし、不一致の場合は職場ゲート12を閉としている。(図5のフローチャートのうちの最終ステップ)
本発明を実施するための最良の第1の形態の多重セキュリティシステム１を以上の手順とすることにより、ＩＣカードと認証用アイテムに記録されている個人認証情報が何れも当人を示す場合のみ、職場ゲート12を開とすることが出来る。
【００２７】
その結果、仮に所員が携帯していたＩＣカードが、第3者に渡り、この第3者が上記職場ゲート12を通過しようとしても、他に一見認証用具と見えない認証用アイテム11の存在が判り難く、仮にこの認証用アイテム11を認証用に使っていることがこの第3者に判ったとしても、ＩＣカードの持ち主の認証用アイテム11がどれかを第3者が認識するのが困難であるため、この職場ゲート12をこの第3者が開とすることが極めて難しいシステムを実現することが出来た。
【００２８】
次に所員が職場スペース4から職場ゲート12を介してエントランススペース3に行く手順について説明する。(この手順はきわめて簡潔であるため、特にフローチャートは明示しない。)
職場ゲート12の職場スペース４に検知手段_δ 17を設置し、この検知手段_δ 17で、所員が所持するＩＣカード31と、当人用の認証用アイテム11とに保存されている個人認証情報を読み取り、所員_ＩＤ情報テーブルの保存情報と照合し、何れも当人の個人認証情報である場合に、この職場ゲートを開くよう構成している。
【００２９】
従って、所員はＩＣカード31と、当人用の認証用アイテム11とを所持してこの職場ゲート12を通過し職場スペース４よりエントランススペース３に入ることができる。
【００３０】
次に所員が一端職場スペース4に入った後に、本発明ではこの所員が職場ゲート12を上記のＩＣカード31のみ出入りするよう構成しているが、以下この手順を説明する。
【００３１】
所員35が職場ゲート12を通過し、その所員の職場(この職場を職場_Aとして以下説明する。)41-1にある当人所員_机21に設けた職場_アイテム載置台22に、エントランス_アイテム載置台から持ってきた認証用アイテム11を置くと、この置いたという職場_アイテム載置台_搭載情報23を職場ゲート12の近傍に設けている認証検知装置_γ 16、認証検知装置_δ 17に送り、この職場_アイテム載置台_搭載情報23の信号をこれらの認証検知装置で記録・保存するよう構成している。
【００３２】
これらの認証検知装置16、17に職場_アイテム載置台_搭載情報23が保存されている場合のみ、この場合所員のＩＣカード３１から職場ゲート12の近傍に配置した認証検知装置_γ 16、認証検知装置_δ 17で当人の認証が取れたことを持って、この職場ゲート12を通過するよう構成している。
【００３３】
これにより一旦所員が職場スペース4に入り、職場_アイテム載置台_22にこの所員の認証用アイテム11を載置すれば、その後はＩＣカード31のみでこの職場ゲート12を出入りできる。
【００３４】
次にエントランススペース3から外ゲート13を介して外に出る手順を示す。
【００３５】
この外ゲート13の近傍で、エントランススペース３に検知手段_β 15を設け、この検知手段_β 15にて所員の持つＩＣカード31と、認証用アイテム11に記録されている個人認証情報を読み取り、ＩＣカード31に記録されている個人認証情報が当人を示し、且つ認証用アイテム11からの個人認証情報が読み取られない場合のみ、この外ゲート12を開となるよう構成している。
【００３６】
このように構成することにより、認証用アイテム11を所持したままエントランススペース３から外ゲート１３を通過して外５に出ないよう構成している。
【００３７】
又この検知手段_β 15にて認証用アイテムからの個人認証情報が読み取られた場合、別に設けた警報等のアラームを発して警告するよう構成しても良い。
【００３８】
本発明を実施するための最良の形態を、以上説明した構成とすることにより、実質２重セキュリティシステムで運用されている職場ゲート12について、複数の個人認証手段のうちの一つを一見認証用具と見えない物品に置き換えて行うことが出来る。
【００３９】
その為仮に個人認証手段の一つとして使用している所員の所持するＩＣカード31を紛失・盗難等で第3者に渡ったとしても、このＩＣカード31の個人認証情報を検知手段_α 14に読み込ませ、外ゲート13を開として、エントランススペースに入ることはできるが、エントランススペース３から職場スペース４には、上記した認証アイテムとＩＣカードの併用の仕組みが第3者には判らないよう構成されているためこの職場ゲート12を開とすることが出来ないよう構成している。
【００４０】
つまり以上説明した様に本発明では、上記第３者は外５からエントランススペース３に入るよう構成されている。
【００４１】
そこでこのＩＣカード31の個人認証情報と別に、例えば予め別に定めた暗証番号等の別の個人認証手段も併用して外ゲート13を開くよう構成すれば、所員のＩＣカード31を入手した第3者をエントランス空間にも入れないよう構成することが出来るが、これは既知の技術で構成できるため詳述しない。
【００４２】
また本発明を実施するための最良の形態では、以上示した構成とすることにより、ＩＣカード31と、認証用アイテム11とを用いて職場ゲートを出入り可能であるが、更に職場スペース４の自分の机21に設けた職場_アイテム載置台22に自分の認証用アイテム11を載置することにより、ＩＣカード31だけで職場ゲート12を出入りすることが出来るよう構成している。
【００４３】
またエントランススペース３より外ゲート13を介して外５に出る際に、この外ゲート13の近傍で且つエントランススペース３に設けた検出手段_β15で認証用アイテム11に設けた個人認証情報を読み取った場合は、この外ゲート13を開とせず、更に音声等の警告を併用することにより、外５に認証用アイテム13を持ち出されないよう構成している。
【００４４】
以上は、エントランススペース３に外ゲート13を配置する場合を例にとり説明したが、このエントランススペース３が一般の来訪者を受け入れるセキュリティの低いスペースの場合は、外ゲート31ではなく、誰でも入ることが出来る入口18に置き換えた構成も考えることができる。この場合について以下図６を用いて説明する。
【００４５】
この場合でも職場ゲート12を、本発明を実施するための最良の形態として上記したように、ＩＣカード31と認証用アイテム11を使って開閉制御することが出来る。
【００４６】
但し本例の場合は、上記した本発明を実施するための最良の形態では外ゲート13の近傍に配置した検知手段_α14を省略できるが、検知手段_β15で認証用アイテム11からの個人認証情報が検出された場合にのみ、この検出信号を受けて、上記した入口18が既存技術にて閉まるよう構成したり、警告音を発生することにより、エントランススペース3から外５へ認証用アイテム11の持ち出しを防止するよう構成している。
【００４７】
本発明の最良の実施の形態として、２重セキュリティゲートシステムを取り上げて説明したが、本発明は更にパスワード、指紋認証等の他の認証手段と組み合わせたより高次の多重セキュリティゲートシステムにも適用できるのは言うまでもない。
【００４８】
又、所員の机に設けた職場_アイテム載置台22に認証用アイテムを載置した事例として示したが、この職場_アイテム載置台22を職場や職場スペースに１ないし数箇所にまとめて置くように構成しても、本発明と同等の効果を期待できる。
【産業上の利用可能性】
【００４９】
本発明はセキュリティ管理の必要なエントランスを備えたオフィス、イベント会場等の産業を対象とし、好適には見かけ上厳重な管理をしていることを感じさせない多重セキュリティシステムとして利用される。
【図面の簡単な説明】
【００５０】
【図１】本発明の最良の形態として示す職場ゲートを備えたオフィススペース２の平面図
【図２】本発明の最良の形態として示す認証用アイテムの概念構成図
【図３】本発明の最良の形態で使われる所員_ＩＤ情報テーブルの説明図
【図４】発明の最良の形態で使われるＩＣカードの説明図
【図５】発明の最良の形態として示す多重セキュリティゲートシステムの手順を示すフローチャート図
【図６】本発明の別の実施の形態として示す職場ゲートを備えたオフィススペース２の平面図
【符号の説明】
【００５１】
１  ２重セキュリティシステム
２  オフィススペース
３  エントランススペース
４  職場スペース
５  外
10  エントランス_アイテム載置台
11  認証用アイテム
12  職場ゲート
13  外ゲート
14  検知手段_α
15  検知手段_β
16  検知手段_γ
17  検知手段_δ
18  入口
21  所員_机
22  職場_アイテム載置台
31  ＩＣカード
・  所員_ＩＣタグ
35  所員
41  職場_A
42  職場_B
43  職場_C
51  アイテム_ＩＣタグ
・  所員ＩＣ情報テーブル
・  発明の最良の形態として示す多重セキュリティゲートシステムの手順のステップ1
・  発明の最良の形態として示す多重セキュリティゲートシステムの手順のステップ２
・  発明の最良の形態として示す多重セキュリティゲートシステムの手順のステップ３
・  発明の最良の形態として示す多重セキュリティゲートシステムの手順のステップ４
・  発明の最良の形態として示す多重セキュリティゲートシステムの手順のステップ５
・  発明の最良の形態として示す多重セキュリティゲートシステムの手順のステップ６
・  発明の最良の形態として示す多重セキュリティゲートシステムの手順の最終ステップ_1
・  発明の最良の形態として示す多重セキュリティゲートシステムの手順の最終ステップ_2
【図１】
2009169723.tif 000003
【図２】
2009169723.tif 000004
【図３】
2009169723.tif 000005
【図４】
2009169723.tif 000006
【図５】
2009169723.tif 000007
【図６】
2009169723.tif 000008